(57)【要約】      （修正有）【課題】異なる波長の光束を光ディスクの異なる記録面に集光する単一の対物レンズと、それを用いた光ピックアップ装置を提供する。【解決手段】第１光源ＬＤ１から出射される波長λ１の第１光束を用いて厚さｔ１の保護層を介して光ディスクＯＤの第１情報記録面ＲＬ１に対して集光スポット形成を行い、第２光源ＬＤ２から出射される波長λ２（λ１＜λ２）の第２光束を用いて厚さｔ２（ｔ１≠ｔ２）の保護層を介して前記光ディスクの第２情報記録面ＲＬ２に対して集光スポット形成を行う対物レンズＯＢＪにおいて、以下の式を満たす。｜ＷＤ１−ＷＤ２｜≦０．００５ｍｍ（１）、４０≦νｄ≦６５（２）ＷＤ１：第１光束を第１情報記録面に集光する際の対物レンズと光ディスクとの距離。ＷＤ２：第２光束を第２情報記録面に集光する際の対物レンズと光ディスクとの距離。νｄ：対物レンズ材料のｄ線に対するアッベ数。【選択図】図１
2013016251.tif 000002
【特許請求の範囲】
【請求項１】
第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
以下の式を満たすことを特徴とする対物レンズ。
｜ＷＤ１−ＷＤ２｜  ≦  ０．００５ｍｍ      （１）
４０  ≦  νｄ  ≦  ６５                    （２）
但し、
ＷＤ１：前記第１光束を前記第１情報記録面に集光する際の前記対物レンズと前記光ディスクとの距離
ＷＤ２：前記第２光束を前記第２情報記録面に集光する際の前記対物レンズと前記光ディスクとの距離
νｄ：前記対物レンズの材料におけるｄ線に対するアッベ数
【請求項２】
前記対物レンズの光学面には、光路差付与構造が形成されていることを特徴とする請求項１に記載の対物レンズ。
【請求項３】
第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすことを特徴とする対物レンズ。
Ｔ（ｍｍ）  ≦  ｔ２−ｔ１  ＜  ０．２５（ｍｍ）              （３）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
１  ≦  ｄ×（ｎ−１）／λ１  ＜  ２                          （６）
−０．０２  ≦  ｍ１  ≦  ０．０２                            （７）
−０．０２  ≦  ｍ２  ≦  ０．０２                            （８）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
ｍ１：前記第１光束に対する対物レンズの倍率
ｍ２：前記第２光束に対する対物レンズの倍率
【請求項４】
第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすことを特徴とする対物レンズ。
０．０５（ｍｍ）  ≦  ｔ２−ｔ１  ＜  Ｔ（ｍｍ）                  （３’）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
Ｓ  ≦  ｄ×（ｎ−１）／λ１  ＜  Ｓ＋１                      （６’）
−０．０２  ≦  ｍ１  ≦  ０．０２                            （７）
−０．０２  ≦  ｍ２  ≦  ０．０２                            （８）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
Ｓ：３又は４
ｍ１：前記第１光束に対する対物レンズの倍率
ｍ２：前記第２光束に対する対物レンズの倍率
【請求項５】
前記波長λ１は、４００〜４１０（ｎｍ）であることを特徴とする請求項１〜４のいずれかに記載の対物レンズ。
【請求項６】
前記波長λ２は、６５０〜６６５（ｎｍ）であることを特徴とする請求項１〜５のいずれかに記載の対物レンズ。
【請求項７】
前記第１情報記録面の保護層の厚さｔ１は、０．５５〜０．６５ｍｍであることを特徴とする請求項１〜６のいずれかに記載の対物レンズ。
【請求項８】
前記第１情報記録面の保護層の厚さｔ１と前記第２情報記録面の保護層の厚さｔ２とは、以下の式を満たすことを特徴とする請求項１〜７のいずれかに記載の対物レンズ。
ｔ２−ｔ１＝０．１（ｍｍ）
【請求項９】
前記第１情報記録面の保護層は、前記第２情報記録面の保護層の一部であることを特徴とする請求項１〜８のいずれかに記載の対物レンズ。
【請求項１０】
前記第１光検出器と前記第２光検出器とは一体であることを特徴とする請求項１〜９のいずれかに記載の対物レンズ。
【請求項１１】
請求項１〜１０のいずれかに記載の対物レンズを用いており、前記第２情報記録面に記録された情報に基づいて前記第１情報記録面の記録位置を決定し、決定された前記第１情報記録面の記録位置に対して情報の記録及び／又は再生を行うことを特徴とする光ピックアップ装置。
【発明の詳細な説明】
【技術分野】
【０００１】
本発明は、光ディスクに対して情報の記録及び／又は再生を行える光ピックアップ装置及びそれに用いる対物レンズに関する。
【背景技術】
【０００２】
近年、光ピックアップ装置において、光ディスクに記録された情報の再生や、光ディスクへの情報の記録のための光源として使用されるレーザ光源の短波長化が進み、例えば、青紫色半導体レーザや、第２高調波を利用して赤外半導体レーザの波長変換を行う青色ＳＨＧレーザ等、波長４００〜４２０ｎｍのレーザ光源が実用化されつつある。これら青紫色レーザ光源を使用すると、ＤＶＤ（デジタルバーサタイルディスク）と同じ開口数（ＮＡ）の対物レンズを使用する場合で、直径１２ｃｍの光ディスクに対して、１５〜２０ＧＢの情報の記録が可能となり、対物レンズのＮＡを０．８５にまで高めた場合には、直径１２ｃｍの光ディスクに対して、２３〜２５ＧＢの情報の記録が可能となる。 
【０００３】
ところで、光ピックアップ装置を搭載した一般的な情報記録再生装置は、光ピックアップ装置から出力されるトラッキングエラー信号を２値化してなるトラバース信号を用いてシーク制御を行っている。
【０００４】
ところが、トラッキングエラー信号は光ディスクのディフェクト（欠陥）や付着したゴミ等の様々な原因によってその振幅が減少し、このときトラバース信号は連続的に「Ｌｏ」となり（これを「歯抜け」と呼ぶ）、これにより情報記録再生装置は、シーク量を過小に誤認識するトラックカウントミスを起こしてしまう。このトラックカウントミスによって光ピックアップ装置はターゲットをオーバーランしてしまい、移動先のトラックでアドレスを正常に読み出すことができなくなる。この場合、情報記録再生装置は光ピックアップを所定の基準位置に一旦戻し、当該基準位置からシーク動作を実行しなおすことになり、これにより情報記録再生装置全体のパフォーマンスが低下してしまうという問題があった。これに対し、特許文献１においては、信号処理によりシーク時間を短縮する技術が開示されている。しかしながら、かかる技術においてもシーク動作は必須であり、よりアクセス時間を短縮できる技術が望まれている。
【先行技術文献】
【特許文献】
【０００５】
【特許文献１】特開２００５−３１７１１２号公報
【特許文献２】特開２００６−１６４３３１号公報
【特許文献３】特開平１０−２９３９３７号公報
【発明の概要】
【発明が解決しようとする課題】
【０００６】
これに対し、一般情報の記録／再生に用いる青紫色レーザ光源の他に、位置情報読み込み用の別光源を設け、別光源から照射された別波長の光束を、光ディスクの位置情報記録層に照射することによって、そこに記録された位置情報を読み出して、青紫色レーザ光を、一般情報記録層における記録すべき位置に迅速に移動させる技術が開発されている。
【０００７】
しかるに、青紫色レーザ光と別波長の光束とを別個の対物レンズを用いて集光するとなると、光学系が複雑となり構成の大型化を招く。これに対し、構成の簡素化・小型化を図るべく単一の対物レンズを用いて青紫色レーザ光と別波長の光束とを集光することはできるが、位置情報記録層は一般情報記録層とは異なる深さ位置に存在するため、２つの光束を光ディスクに対して同時に集光する場合、ワーキングディスタンスをどのように調整するかが重要となる。尚、単一の対物レンズを用いて異なる種類の光ディスクに対して異なる波長の光束を照射する技術としては、特許文献２，３に示すものがある。
【０００８】
本発明は、上述の問題を考慮してなされたものであり、単一の対物レンズを用いて、異なる波長の光束を光ディスクの異なる記録面に集光するのに好適な対物レンズと、それを用いた光ピックアップ装置を提供することを目的とする。
【課題を解決するための手段】
【０００９】
以上の課題を解決するために、請求項１記載の発明は、第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
以下の式を満たすことを特徴とする。
｜ＷＤ１−ＷＤ２｜  ≦  ０．００５ｍｍ      （１）
４０  ≦  νｄ  ≦  ６５                    （２）
但し、
ＷＤ１：前記第１光束を前記第１情報記録面に集光する際の前記対物レンズと前記光ディスクとの距離
ＷＤ２：前記第２光束を前記第２情報記録面に集光する際の前記対物レンズと前記光ディスクとの距離
νｄ：前記対物レンズの材料におけるｄ線に対するアッベ数
【００１０】
（２）式を満たす材料から形成した単一の対物レンズを用いて、波長λ１の第１光束と波長λ２の第２光束とを、光ディスクの保護層の厚さが異なる第１情報記録面と第２情報記録面とにそれぞれ集光する場合、（１）式を満たすようにすれば、２つの光束を同時に集光できるので、例えば第２光束による位置情報の読み込みと、それに基づく第１光束の照射位置制御とを並行して行えるので、迅速な記録位置探索が可能になる。本明細書中、ＷＤ１は、前記第１光束集光時のワーキングディスタンスを意味し、ＷＤ２は、前記第２光束集光時のワーキングディスタンスを意味するものとする。尚、本発明において対物レンズに入射する光束は平行光に限らず、収束光や発散光でも良い。
【００１１】
請求項２に記載の対物レンズは、請求項１に記載の発明において、前記対物レンズの光学面には、光路差付与構造が形成されていることを特徴とする。
【００１２】
請求項３に記載の対物レンズは、第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすことを特徴とする。
Ｔ（ｍｍ）  ≦  ｔ２−ｔ１  ＜  ０．２５（ｍｍ）                （３）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
１  ≦  ｄ×（ｎ−１）／λ１  ＜  ２                          （６）
−０．０２  ≦  ｍ１  ≦  ０．０２                            （７）
−０．０２  ≦  ｍ２  ≦  ０．０２                            （８）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
ｍ１：前記第１光束に対する対物レンズの倍率
ｍ２：前記第２光束に対する対物レンズの倍率
【００１３】
本発明によれば、波長λ１の光束における色収差と色球面収差を記録／再生可能な範囲内に抑えながら、対物レンズと光ディスクとの距離（ワーキングディスタンス）を一致させることが可能となる。また光路差付与構造を利用しているため、対物レンズを低コストで簡単に製作することができる。（６）式は、波長λ１の光束が前記光路差付与構造に入射した場合、１次回折光を発生させるための光路差付与構造の段差量ｄを規定している。
また、（５）式中のΔｆＢは、対物レンズの材料における色分散と光路差付与構造の回折近軸パワーによって決定され、光路差付与構造のピッチに関連して決まるものである。尚、（３）式の上限値は、光情報記録媒体の規格で自ずと決まる値である。
【００１４】
請求項４に記載の対物レンズは、第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすことを特徴とする。
０．０５（ｍｍ）  ≦  ｔ２−ｔ１  ＜  Ｔ（ｍｍ）                  （３’）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
Ｓ  ≦  ｄ×（ｎ−１）／λ１  ＜  Ｓ＋１                      （６’）
−０．０２  ≦  ｍ１  ≦  ０．０２                            （７）
−０．０２  ≦  ｍ２  ≦  ０．０２                            （８）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
Ｓ：３又は４
ｍ１：前記第１光束に対する対物レンズの倍率
ｍ２：前記第２光束に対する対物レンズの倍率
【００１５】
本発明によれば、波長λ１の光束における色収差と色球面収差を記録／再生可能な範囲内に抑えながら、対物レンズと光ディスクとの距離（ワーキングディスタンス）を一致させることが可能となる。また光路差付与構造を利用しているため、対物レンズを低コストで簡単に製作することができる。（６’）式は、波長λ１の光束が前記光路差付与構造に入射した場合、３次又は４次回折光を発生させるための光路差付与構造の段差量ｄを規定している。また、（５）式中のΔｆＢは、対物レンズの材料における色分散と光路差付与構造の回折近軸パワーによって決定され、光路差付与構造のピッチに関連して決まるものである。尚、（３’）式の下限値は、光情報記録媒体の規格で自ずと決まる値である。
【００１６】
（２）式を満たす光学材料としてのガラスやプラスチックで作られ、光路差付与構造としての回折構造を有する回折レンズにおいては、ワーキングディスタンスに関して以下の３つの特性がある。
（１）対物レンズ材料の色分散の効果として、波長が長くなると、ワーキングディスタンスが大きくなる。
（２）光情報記録媒体を通過する光路長が長くなる（つまりは光が通過する光情報記録媒体の厚みが長くなる）と、ワーキングディスタンスが大きくなる。
（３）回折近軸パワーによりワーキングディスタンスが変化する。
即ち、（１）〜（３）の特性を利用して、例えばＢＤ、ＤＶＤなど保護層の厚みの異なる２つの光ディスクについてワーキングディスタンスを一致させることができ、それにより対物レンズを光軸方向に変位させることなく、それぞれの光ディスクの情報記録面に趣向スポットを形成できる。これを言い換えると、保護層の厚みが異なる２つの記録層を有する同じ光情報記録媒体に対して、異なる波長の光束を照射したときに、２つの記録層に対して同時に集光スポットを形成できることとなる。尚、本発明の技術は、一般的な光ディスク（Blu-ray  Disc,HD DVD,DVＤ,CD・・・・）以外の光情報記録媒体でも、適宜利用できる。
【００１７】
ここで、（１）、（２）の特性の相互作用により、ある程度のキャンセルが可能であるため、波長λ１の光束と波長λ２の光束を使用する場合にキャンセルされる厚み（T）と、実際の厚みΔＴ（＝ｔ２−ｔ１）との差をとり、その差（Δｔ−Ｔ）により生じる残りのワーキングディスタンスの差を、近軸回折パワー比λ２×ｋ２／（λ１×ｋ１）によりキャンセルすれば良い。ｋ１とは、波長λ１の光束が回折構造に入射したときに発生する最も強度が高くなる回折光の次数をいい、ｋ２とは、波長λ２の光束が同じ回折構造に入射したときに発生する最も強度が高くなる回折光の次数をいう。ここで、具体的な組み合わせとしては、
Ａ）：Δｔ−Ｔ＞０、λ２×ｋ２／（λ１×ｋ１）＞０  正の回折近軸パワー使用
Ｂ）：Δｔ−Ｔ＞０、λ２Ｘｋ２／（λ１×ｋ１）＜０  負の回折近軸パワー使用
Ｃ）：Δｔ−Ｔ＜０、λ２×ｋ２／（λ１×ｋ１）＞０  負の回折近軸パワー使用
Ｄ）：Δｔ−Ｔ＜０、λ２Ｘｋ２／（λ１×ｋ１）＜０  正の回折近軸パワー使用
Ｅ）：Δｔ−Ｔ＝０、回折近軸パワー不要
の５通りとなる。
但し、
正の回折近軸パワー：回折の光路差関数の２次係数Ｃ２＞０
負の回折近軸パワー：回折の光路差関数の２次係数Ｃ２＜０（通常色消しに使用）
である。
【００１８】
一方、光束を適切に集光させるためには、保護層の厚みの差により生じる球面収差も補正しなければならない。ここで、例えば第１波長として青紫色レーザ光と、第２光束として赤色レーザ光を用いた場合、屈折率の差と保護層の厚みの差により、同じ方向の球面収差が発生するため、それとは逆方向の球面収差を回折パワー比λ２×ｋ２／（λ１×ｋ１）で発生させれば良いこととなる。尚、ここでいう回折パワーとは３次の球面収差を変化させる作用を指す。
【００１９】
具体的には、
ａ）：λ２×ｋ２／（λ１×ｋ１）＞０  正の回折パワー
ｂ）：λ２×ｋ２／（λ１×ｋ１）＜０  負の回折パワー
となる。
但し、
正の回折パワー：長波長により３次球面収差がアンダーとなるパワー
負の回折パワー：長波長により３次球面収差がオーバーとなるパワー
である。
【００２０】
加えて、例えば青紫色レーザ光の集光スポットでは記録／再生を行うことから、光源のモードホップ等が生じても支障なく記録／再生を行える色収差特性と、個々の光源で基準波長が異なっても光束が集光するような色球面収差特性を有しているのが望ましい。しかしながら、青紫色レーザ光と赤色レーザ光とを同時集光させる場合、回折構造の回折パワーには自由度が残されていないため、本発明者は、回折構造の形状を選択することで、上記課題を全て解決することを見出したのである。
【００２１】
具体的には、上記のＡ）又はＣ）と、ａ）を用いることとする。これに合致する回折次数の組み合わせとしては、（ｋ１，ｋ２）＝（１，１）、（４，３）、（３，２）がある。請求項３の発明は、Ｃ）＋ａ）の組み合わせに基づくものであり、請求項４の発明は、Ａ）＋ａ）の組み合わせに基づくものである。
【００２２】
請求項５に記載の対物レンズは、請求項１〜４のいずれかに記載の発明において、前記波長λ１は、４００〜４１０（ｎｍ）であることを特徴とする。
【００２３】
請求項６に記載の対物レンズは、請求項１〜５のいずれかに記載の発明において、前記波長λ２は、６５０〜６６５（ｎｍ）であることを特徴とする。
【００２４】
請求項７に記載の対物レンズは、請求項１〜６のいずれかに記載の発明において、前記第１情報記録面の保護層の厚さｔ１は、０．５５〜０．６５ｍｍであることを特徴とする。
【００２５】
請求項８に記載の対物レンズは、請求項１〜７のいずれかに記載の発明において、前記第１情報記録面の保護層の厚さｔ１と前記第２情報記録面の保護層の厚さｔ２とは、以下の式を満たすことを特徴とする。
ｔ２−ｔ１＝０．１（ｍｍ）
このように保護基板厚差が小さければ、対物レンズの近軸回折パワーと色球面収差特性が小さくなり、結果的にピッチの広い加工しやすい回折構造を設けることができる。
【００２６】
請求項９に記載の対物レンズは、請求項１〜７のいずれかに記載の発明において、前記第１情報記録面の保護層は、前記第２情報記録面の保護層の一部であることを特徴とする。
【００２７】
請求項１０に記載の対物レンズは、請求項１〜７のいずれかに記載の発明において、前記第１光検出器と前記第２光検出器とは一体であることを特徴とするので、光ピックアップ装置の小型化、低コスト化を図れる。但し、第１光検出器と第２光検出器とは別体でも良い。
【００２８】
請求項１１に記載の光ピックアップ装置は、請求項１〜１０のいずれかに記載の対物レンズを用いており、前記第２情報記録面に記録された情報に基づいて前記第１情報記録面の記録位置を決定し、決定された前記第１情報記録面の記録位置に対して情報の記録及び／又は再生を行うことを特徴とする。
【００２９】
光検出器としては、フォトダイオードなどの受光素子が好ましく用いられる。光ディスクの第２情報記録面上で反射した第２光束が受光素子へ入射し、その出力信号を用いて位置情報が検出され、かかる位置情報に基づいて、光ディスクの第１情報記録面における集光位置を決定し、かかる集光位置に第１光束が集光するように制御され、第１情報記録面上で反射した第１光束が同じ受光素子へ入射することにより、情報の記録及び／又は再生が行われるようになっている。
【００３０】
集光光学系は、対物レンズを有する。集光光学系は、対物レンズのみを有していても良いが、集光光学系は、対物レンズの他にコリメータレンズ等のカップリングレンズを有していてもよい。カップリングレンズとは、対物レンズと光源の間に配置され、光束の発散角を変える単レンズ又はレンズ群のことをいう。コリメータレンズは、カップリングレンズの一種で、コリメータレンズに入射した光を平行光にして出射するレンズである。更に集光光学系は、光源から射出された光束を、情報の記録再生に用いられるメイン光束と、トラッキング等に用いられる二つのサブ光束とに分割する回折光学素子などの光学素子を有していてもよい。本明細書において、対物レンズとは、光ピックアップ装置において光ディスクに対向する位置に配置され、光源から射出された光束を光ディスクの情報記録面上に集光する機能を有する光学系を指す。好ましくは、対物レンズとは、光ピックアップ装置において光ディスクに対向する位置に配置され、光源から射出された光束を光ディスクの情報記録面上に集光する機能を有する光学系であって、更に、アクチュエータにより少なくとも光軸方向に一体的に変位可能とされた光学系を指す。対物レンズは、好ましくは単玉の対物レンズであるが、複数の光学素子から形成されていても良い。また、対物レンズは、ガラスレンズであってもプラスチックレンズであっても、又は、ガラスレンズの上に光硬化性樹脂などで光路差付与構造などを設けたハイブリッドレンズであってもよい。また、対物レンズは、屈折面が非球面であることが好ましい。また、対物レンズは、光路差付与構造が設けられるベース面が非球面であることが好ましい。
【００３１】
また、対物レンズをガラスレンズとする場合は、ガラス転移点Ｔｇが４００℃以下であるガラス材料を使用することが好ましい。ガラス転移点Ｔｇが４００℃以下であるガラス材料を使用することにより、比較的低温での成形が可能となるので、金型の寿命を延ばすことが出来る。このようなガラス転移点Ｔｇが低いガラス材料としては、例えば（株）住田光学ガラス製のＫ−ＰＧ３２５や、Ｋ−ＰＧ３７５（共に製品名）がある。
【００３２】
ところで、ガラスレンズは一般的に樹脂レンズよりも比重が大きいため、対物レンズをガラスレンズとすると、重量が大きくなり対物レンズを駆動するアクチュエータに負担がかかる。そのため、対物レンズをガラスレンズとする場合には、比重が小さいガラス材料を使用するのが好ましい。具体的には、比重が３．０以下であるのが好ましく、２．８以下であるのがより好ましい。
【００３３】
また、対物レンズをプラスチックレンズとする場合は、環状オレフィン系の樹脂材料を使用するのが好ましく、環状オレフィン系の中でも、波長４０５ｎｍに対する温度２５℃での屈折率が１．５２乃至１．６０の範囲内であって、−５℃から７０℃の温度範囲内での温度変化に伴う波長４０５ｎｍに対する屈折率変化率ｄＮ／ｄＴ（℃-1）が−２０×１０-5乃至−５×１０-5（より好ましくは、−１０×１０-5乃至−８×１０-5）の範囲内である樹脂材料を使用するのがより好ましい。また、対物レンズをプラスチックレンズとする場合、カップリングレンズもプラスチックレンズとすることが好ましい。
【００３４】
本明細書でいう光路差付与構造とは、入射光束に対して光路差を付加する構造の総称である。光路差付与構造には、位相差を付与する位相差付与構造も含まれる。また、位相差付与構造には回折構造が含まれる。光路差付与構造は、段差を有し、好ましくは段差を複数有する。この段差により入射光束に光路差及び／又は位相差が付加される。光路差付与構造により付加される光路差は、入射光束の波長の整数倍であっても良いし、入射光束の波長の非整数倍であっても良い。段差は、光軸垂直方向に周期的な間隔をもって配置されていてもよいし、光軸垂直方向に非周期的な間隔をもって配置されていてもよい。
【００３５】
光路差付与構造は、光軸を中心とする同心円状の複数の輪帯を有することが好ましい。
また、光路差付与構造は、様々な断面形状（光軸を含む面での断面形状）をとり得る。ブレーズ型形状とは、図２（ａ）、（ｂ）に示されるように、光路差付与構造を有する光学素子の光軸を含む断面形状が、鋸歯状の形状ということであり、別の言い方としては、光路差付与構造がベース面に対して、直角でも平行でもない、斜めの面を有するということである。また、階段型形状とは、図２（ｃ）に示されるように、光路差付与構造を有する光学素子の光軸を含む断面形状が、階段状ということであり、別の言い方としては、光路差付与構造がベース面に対して平行な面と光軸に対して平行な面のみを有し、ベース面に対して斜めの面を有さず、ベース面の方向に進むに従って、段階的に光軸方向の長さが変化するということである。
【００３６】
光路差付与構造が、ブレーズ型形状を有する場合、単位形状である鋸歯状の形状が繰り返された形状となる。図２（ａ）に示されるように、同一の鋸歯状形状が繰り返されてもよいし、図２（ｂ）に示されるように、ベース面の方向に進むに従って、徐々に鋸歯状形状の大きさが大きくなっていく形状、又は、小さくなっていく形状であってもよい。また、徐々に鋸歯状形状の大きさが大きくなった形状と、徐々に鋸歯状形状の大きさが小さくなっていく形状を組み合わせた形状としてもよい。但し、鋸歯状形状の大きさが徐々に変化する場合であっても、鋸歯状形状において、光軸方向（又は通過する光線の方向）の大きさはほとんど変化しないことが好ましい。なお、ブレーズ型形状において、１つの鋸歯状形状の光軸方向の長さ（鋸歯状形状を通過する光線の方向の長さとしてもよい）を、ピッチ深さ即ち段差ｄ（図２に各形状毎に図示）といい、１つの鋸歯状形状の光軸垂直方向の長さをピッチ幅という。加えて、ある領域においては、ブレーズ型形状の段差が光軸（中心）側とは逆を向いている形状とし、他の領域においては、ブレーズ型形状の段差が光軸（中心）側を向いている形状とし、その間に、ブレーズ型形状の段差の向きを切り替えるために必要な遷移領域が設けられている形状としてもよい。この遷移領域は、光路差付与構造である光路差付与構造により付加される光路差を光路差関数で表現した時、光路差関数の極値となる点に相当する領域である。なお、光路差関数が極値となる点を持つと、光路差関数の傾きが小さくなるので、輪帯ピッチを広げることが可能となり、光路差付与構造の形状誤差による透過率低下を抑制できる。
【００３７】
光路差付与構造が、階段型形状を有する場合、単位形状である、階段形状が繰り返された形状となる。図２（ｃ）で示されるような数段（例えば、４，５段）の同一の小階段形状が、繰り返されるような形状等があり得る。階段型形状はブレーズ型形状を近似したものであるので、その段差ｄは、図２（ｃ）に示すごとく、近似したブレーズ形状（点線）を推定して求めるものとする。さらに、ベース面の方向に進むに従って、徐々に階段の大きさが大きくなっていく形状や、徐々に階段の大きさが小さくなっていく形状であってもよいが、光軸方向（又は通過する光線の方向）の長さはほとんど変化しないことが好ましい。
【００３８】
本発明に係る光情報記録再生装置は、上述の光ピックアップ装置を有する光ディスクドライブ装置を有する。
【００３９】
ここで、光情報記録再生装置に装備される光ディスクドライブ装置に関して説明すると、光ディスクドライブ装置には、光ピックアップ装置等を収納している光情報記録再生装置本体から光ディスクを搭載した状態で保持可能なトレイのみが外部に取り出される方式と、光ピックアップ装置等が収納されている光ディスクドライブ装置本体ごと、外部に取り出される方式とがある。
【００４０】
上述した各方式を用いる光情報記録再生装置には、概ね、次の構成部材が装備されているがこれに限られるものではない。  ハウジング等に収納された光ピックアップ装置、光ピックアップ装置をハウジングごと光ディスクの内周あるいは外周に向けて移動させるシークモータ等の光ピックアップ装置の駆動源、光ピックアップ装置のハウジングを光ディスクの内周あるいは外周に向けてガイドするガイドレールなどを有した光ピックアップ装置の移送手段及び、光ディスクの回転駆動を行うスピンドルモータ等である。
【００４１】
前者の方式には、これら各構成部材の他に、光ディスクを搭載した状態で保持可能なトレイおよびトレイを摺動させるためのローディング機構等が設けられ、後者の方式にはトレイおよびローディング機構がなく、各構成部材が外部に引き出し可能なシャーシに相当するドロワーに設けられていることが好ましい。
【発明の効果】
【００４２】
本発明によれば、単一の対物レンズを用いて、異なる波長の光束を光ディスクの異なる記録面に集光するのに好適な対物レンズと、それを用いた光ピックアップ装置を提供することが可能になる。
【図面の簡単な説明】
【００４３】
【図１】本発明に係る光ピックアップ装置の構成を概略的に示す図である。
【図２】本発明に係る対物レンズＯＢＪに設けられる光路差付与構造の幾つかの例（ａ）〜（ｄ）を模式的に示す断面図である。
【発明を実施するための形態】
【００４４】
以下、本発明の実施の形態を図面を参照して説明する。図１は、光ディスクＯＤの第２情報記録面ＲＬ２に記録された位置情報に基づいて、第１情報記録面ＲＬ１の記録位置を決定し、決定された第１情報記録面ＲＬ１の記録位置に対して情報を記録／再生する光ピックアップ装置ＰＵの構成を概略的に示す図である。かかる光ピックアップ装置ＰＵにおいては、保護層ＰＬ１の厚さがｔ１＝０．６ｍｍである第１情報記録面ＲＬ１には、波長λ１＝４０５ｎｍの光束が集光され、保護層ＰＬ１を含む保護層ＰＬ２の厚さがｔ２＝０．７ｍｍである第２情報記録面ＲＬ２には、波長λ２＝６５５ｎｍの光束が集光されるようになっている。第２情報記録面ＲＬ２には、予め位置情報が記録されているものとする。なお、本発明は、本実施の形態に限られるものではない。
【００４５】
光ピックアップ装置ＰＵは、対物レンズＯＢＪ、絞りＳＴ、コリメートレンズＣＬ、偏光ビームスプリッタＰＢＳ、ダイクロイックプリズムＤＰ、波長λ１＝４０５ｎｍのレーザ光束（第１光束）を射出する第１半導体レーザＬＤ１（第１光源）、波長λ２＝６６１ｎｍのレーザ光束（第２光束）を射出する第２半導体レーザＬＤ２（第２光源）、λ／４波長板ＱＷＰ、センサレンズＳＮ、受光素子ＰＤを有する。尚、対物レンズＯＢＪは、二軸アクチュエータＡＣＴによってフォーカシング駆動及びトラッキング駆動される。対物レンズＯＢＪの光源側光学面には、回折構造ＤＳが形成されており、波長λ１の光束が回折構造ＤＳに入射したときに発生する最も強度が高くなる回折光の次数をｋ１とし、波長λ２の光束が回折構造ＤＳに入射したときに発生する最も強度が高くなる回折光の次数をｋ２とすると、（ｋ１，ｋ２）＝（１，１）、（４，３）又は（３，２）である。
【００４６】
まず、赤色半導体レーザＬＤ２から射出された第２光束（λ２＝６５５ｎｍ）の発散光束は、点線で示すように、ダイクロイックプリズムＤＰで反射された後、偏光ビームスプリッタＰＢＳを通過し、コリメートレンズＣＬにより平行光束とされた後、λ／４波長板ＱＷＰにより直線偏光から円偏光に変換され、対物レンズＯＢＪに入射して、厚さ０．７ｍｍの保護基板ＰＬ２を介して、第２情報記録面ＲＬ２に形成されるスポットとなり、スポット中心部を形成する。
【００４７】
第２情報記録面ＲＬ２上で情報ピットにより変調された反射光束は、再び対物レンズＯＢＪ、絞りＳＴを透過した後、λ／４波長板ＱＷＰにより円偏光から直線偏光に変換され、コリメートレンズＣＬにより収斂光束とされ、偏光ビームスプリッタＰＢＳにより反射された後、センサレンズＳＮを介して、受光素子ＰＤの受光面に収束する。これにより、第２情報記録面ＲＬ２に記録された位置情報を読み取ることができる。
【００４８】
かかる位置情報を読み取りながら、それにより決定された位置で青紫色半導体レーザＬＤ１を適宜発光させると、青紫色半導体レーザＬＤ１から射出された第１光束（λ１＝４０５ｎｍ）の発散光束は、実線で示すように、ダイクロイックプリズムＤＰを透過した後、偏光ビームスプリッタＰＢＳを通過し、コリメートレンズＣＬにより平行光束とされた後、λ／４波長板ＱＷＰにより直線偏光から円偏光に変換され、対物レンズＯＢＪに入射して、厚さ０．６ｍｍの保護基板ＰＬ１を介して、第１情報記録面ＲＬ１に形成されるスポットとなり、スポット中心部を形成する。
【００４９】
第１情報記録面ＲＬ１上で情報ピットにより変調された反射光束は、再び対物レンズＯＢＪ、絞りＳＴを透過した後、λ／４波長板ＱＷＰにより円偏光から直線偏光に変換され、コリメートレンズＣＬにより収斂光束とされ、偏光ビームスプリッタＰＢＳにより反射された後、センサレンズＳＮを介して、受光素子ＰＤの受光面に収束する。これにより、第１情報記録面ＲＬ１の決定された位置に対して、情報を記録又は再生することができる。尚、波長λ２のレーザ光は、波長λ１のレーザ光を用いた記録／再生時にも同時に照射され、リアルタイムで位置情報を読み出すようにすることが望ましい。
【００５０】
＜実施例＞
次に、上述の実施の形態に用いることができる実施例について説明する。尚、以下に述べる実施例において設けられた光路差付与構造は、以下の光路差関数φ（ｍｍ）で表せる。
［光路差関数］
φ＝λ／λB×ｋ×（Ｃ2ｒ2＋Ｃ4ｒ4＋Ｃ6ｒ6＋Ｃ8ｒ8＋Ｃ10ｒ10）
但し、
φ：光路差関数
λ：回折構造に入射する光束の波長
λB：製造波長
ｋ：光ディスクに対する記録／再生に使用する回折光の回折次数
ｒ：光軸からの距離（半径）
Ｃ2，Ｃ4，Ｃ6，Ｃ8，Ｃ10：光路差関数係数
【００５１】
ここで、光路差関数において、λ／λB×ｋ×Ｃ2ｒ2が、回折近軸パワーを決定し、λ／λB×ｋ×（Ｃ4ｒ4＋Ｃ6ｒ6＋Ｃ8ｒ8＋Ｃ10ｒ10）が、回折パワーを決定するものとする。
【００５２】
又、対物光学素子の光学面は、それぞれ以下の非球面表現式に表に示す係数を代入した数式で規定される、光軸の周りに軸対称な非球面に形成されている。
［非球面表現式］
ｚ＝（ｒ2／Ｒ）／［１＋√｛１−（κ＋１）（ｒ／Ｒ）2｝］＋Ｂ4ｒ4＋Ｂ6ｒ6＋Ｂ8ｒ8＋Ｂ10ｒ10＋Ｂ12ｒ12＋Ｂ14ｒ14＋Ｂ16ｒ16＋Ｂ18ｒ18＋Ｂ20ｒ20
但し、
ｚ：非球面形状（非球面の面頂点から光軸に沿った方向の距離）
ｒ：光軸からの距離
Ｒ：曲率半径
κ：コーニック係数
Ｂ4，Ｂ6，Ｂ8，Ｂ10，Ｂ12，Ｂ14，Ｂ16，Ｂ18，Ｂ20：非球面係数
【００５３】
これ以降（表のレンズデータ含む）において、１０のべき乗数（例えば、２．５×１０-3）を、Ｅ（例えば、２．５×Ｅ−３）を用いて表すものとする。
【００５４】
実施例１は、（ｋ１，ｋ２）＝（４，３）に相当する対物レンズである。表１に、実施例１のレンズデータを示す。
【００５５】
【表１】
2013016251.tif 000003
【００５６】
実施例２は、（ｋ１，ｋ２）＝（４，３）に相当する対物レンズである。表２に、実施例２のレンズデータを示す。
【００５７】
【表２】
2013016251.tif 000004
【００５８】
実施例３は、（ｋ１，ｋ２）＝（１，１）に相当する対物レンズである。表３に、実施例３のレンズデータを示す。
【００５９】
【表３】
2013016251.tif 000005
【００６０】
実施例４は、（ｋ１，ｋ２）＝（３，２）に相当する対物レンズである。表４に、実施例４のレンズデータを示す。
【００６１】
【表４】
2013016251.tif 000006
【００６２】
表５に、実施例１〜４の各値をまとめて示す。
【００６３】
【表５】
2013016251.tif 000007
【符号の説明】
【００６４】
ＡＣ      二軸アクチュエータ
ＰＢＳ    偏光ビームスプリッタ
ＤＰ      ダイクロイックプリズム
ＣＬ      コリメートレンズ
ＬＤ１    青紫色半導体レーザ
ＯＢＪ    対物レンズ
ＰＬ１    保護基板
ＰＬ２    保護基板
ＰＵ    光ピックアップ装置
ＲＬ１    第１情報記録面
ＲＬ２    第２情報記録面
ＰＤ      光検出器
ＱＷＰ  λ／４波長板
ＳＴ      絞り
ＳＮ      センサレンズ
【図１】
2013016251.tif 000008
【図２】
2013016251.tif 000009
【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
第１光源から出射される波長λ１の第１光束を用いて厚さｔ１の保護層を介して光ディスクの第１情報記録面に対して集光スポット形成を行い、第２光源から出射される波長λ２の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすことを特徴とする対物レンズ。
４０ ≦ νｄ ≦ ６５       （２）
Ｔ（ｍｍ）  ≦  ｔ２−ｔ１  ＜  ０．２５（ｍｍ）              （３）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
１  ≦  ｄ×（ｎ−１）／λ１  ＜  ２                          （６）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
【請求項２】
前記波長λ１は、４００〜４１０（ｎｍ）であり、前記波長λ２は、６５０〜６６５（ｎｍ）であることを特徴とする請求項１に記載の対物レンズ。
【請求項３】
前記第１情報記録面の保護層は、前記第２情報記録面の保護層の一部であることを特徴とする請求項１又は２に記載の対物レンズ。
【請求項４】
前記第１光検出器と前記第２光検出器とは一体であることを特徴とする請求項１〜３のいずれかに記載の対物レンズ。
【請求項５】
以下の式を満たすことを特徴とする請求項１〜４のいずれかに記載の対物レンズ。
−０．０２  ≦  ｍ１  ≦  ０．０２                            （７）
−０．０２  ≦  ｍ２  ≦  ０．０２                            （８）
但し、
ｍ１：前記第１光束に対する対物レンズの倍率
ｍ２：前記第２光束に対する対物レンズの倍率
【請求項６】
前記第１情報記録面の保護層の厚さｔ１は、０．５５〜０．６５ｍｍであることを特徴とする請求項１〜５のいずれかに記載の対物レンズ。
【請求項７】
前記第１情報記録面の保護層の厚さｔ１と前記第２情報記録面の保護層の厚さｔ２とは、以下の式を満たすことを特徴とする請求項１〜６のいずれかに記載の対物レンズ。
ｔ２−ｔ１＝０．１（ｍｍ）
【請求項８】
請求項１〜７のいずれかに記載の対物レンズを用いており、前記第２情報記録面に記録された情報に基づいて前記第１情報記録面の記録位置を決定し、決定された前記第１情報記録面の記録位置に対して情報の記録及び／又は再生を行うことを特徴とする光ピックアップ装置。
【手続補正２】
【補正対象書類名】明細書
【補正対象項目名】０００９
【補正方法】変更
【補正の内容】
【０００９】
第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
以下の式を満たすと好ましい。
｜ＷＤ１−ＷＤ２｜  ≦  ０．００５ｍｍ      （１）
４０  ≦  νｄ  ≦  ６５                    （２）
但し、
ＷＤ１：前記第１光束を前記第１情報記録面に集光する際の前記対物レンズと前記光ディスクとの距離
ＷＤ２：前記第２光束を前記第２情報記録面に集光する際の前記対物レンズと前記光ディスクとの距離
νｄ：前記対物レンズの材料におけるｄ線に対するアッベ数
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項１に記載の対物レンズは、第１光源から出射される波長λ１の第１光束を用いて厚さｔ１の保護層を介して光ディスクの第１情報記録面に対して集光スポット形成を行い、第２光源から出射される波長λ２の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすことを特徴とする。
４０ ≦ νｄ ≦ ６５       （２）
Ｔ（ｍｍ）  ≦  ｔ２−ｔ１  ＜  ０．２５（ｍｍ）              （３）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
１  ≦  ｄ×（ｎ−１）／λ１  ＜  ２                          （６）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
【手続補正５】
【補正対象書類名】明細書
【補正対象項目名】００１４
【補正方法】変更
【補正の内容】
【００１４】
第１光源から出射される波長λ１の第１光束を用いて厚さｔ１の保護層を介して光ディスクの第１情報記録面に対して集光スポット形成を行い、第２光源から出射される波長λ２（λ１＜λ２）の第２光束を用いて厚さｔ２（ｔ１≠ｔ２）の保護層を介して前記光ディスクの第２情報記録面に対して集光スポット形成を行う対物レンズと、前記第１情報記録面から反射された前記第１光束を検出する第１光検出器と、前記第２情報記録面から反射された前記第２光束を検出する第２光検出器とを備えた光ピックアップ装置の対物レンズにおいて、
前記対物レンズの光学面には、光路差付与構造が形成されており、以下の式を満たすと好ましい。
０．０５（ｍｍ）  ≦  ｔ２−ｔ１  ＜  Ｔ（ｍｍ）                  （３’）
Ｔ＝９．３１×（１／νｄ）−０．０３０２                      （４）
０．２（μｍ／ｎｍ）  ≦  ΔｆＢ  ≦  ０．６（μｍ／ｎｍ）    （５）
Ｓ  ≦  ｄ×（ｎ−１）／λ１  ＜  Ｓ＋１                      （６’）
−０．０２  ≦  ｍ１  ≦  ０．０２                            （７）
−０．０２  ≦  ｍ２  ≦  ０．０２                            （８）
但し、
νｄ：前記対物レンズの材料におけるｄ線に対するアッベ数
ｄ：前記光路差付与構造の光軸方向の段差量（ｍｍ）
ΔｆＢ：前記第１光束に対する前記対物レンズの色収差（μｍ／ｎｍ）
ｎ：前記対物レンズの材料におけるｄ線に対する屈折率
Ｓ：３又は４
ｍ１：前記第１光束に対する対物レンズの倍率
ｍ２：前記第２光束に対する対物レンズの倍率
【手続補正６】
【補正対象書類名】明細書
【補正対象項目名】００２２
【補正方法】変更
【補正の内容】
【００２２】
請求項２に記載の対物レンズは、請求項１に記載の発明において、前記波長λ１は、４００〜４１０（ｎｍ）であり、前記波長λ２は、６５０〜６６５（ｎｍ）であることを特徴とする。
【手続補正７】
【補正対象書類名】明細書
【補正対象項目名】００２３
【補正方法】変更
【補正の内容】
【００２３】
請求項３に記載の対物レンズは、請求項１又は２に記載の発明において、前記第１情報記録面の保護層は、前記第２情報記録面の保護層の一部であることを特徴とする。
請求項４に記載の対物レンズは、請求項１〜３のいずれかに記載の発明において、前記第１光検出器と前記第２光検出器とは一体であることを特徴とする。
請求項５に記載の対物レンズは、請求項１〜４のいずれかに記載の発明において、以下の式を満たすことを特徴とする。
−０．０２  ≦  ｍ１  ≦  ０．０２                            （７）
−０．０２  ≦  ｍ２  ≦  ０．０２                            （８）
但し、
ｍ１：前記第１光束に対する対物レンズの倍率
ｍ２：前記第２光束に対する対物レンズの倍率
【手続補正８】
【補正対象書類名】明細書
【補正対象項目名】００２４
【補正方法】変更
【補正の内容】
【００２４】
請求項６に記載の対物レンズは、請求項１〜５のいずれかに記載の発明において、前記第１情報記録面の保護層の厚さｔ１は、０．５５〜０．６５ｍｍであることを特徴とする。
【手続補正９】
【補正対象書類名】明細書
【補正対象項目名】００２５
【補正方法】変更
【補正の内容】
【００２５】
請求項７に記載の対物レンズは、請求項１〜６のいずれかに記載の発明において、前記第１情報記録面の保護層の厚さｔ１と前記第２情報記録面の保護層の厚さｔ２とは、以下の式を満たすことを特徴とする。
ｔ２−ｔ１＝０．１（ｍｍ）
このように保護基板厚差が小さければ、対物レンズの近軸回折パワーと色球面収差特性が小さくなり、結果的にピッチの広い加工しやすい回折構造を設けることができる。
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
前記第１光検出器と前記第２光検出器とは一体であると、光ピックアップ装置の小型化、低コスト化を図れる。但し、第１光検出器と第２光検出器とは別体でも良い。
【手続補正１２】
【補正対象書類名】明細書
【補正対象項目名】００２８
【補正方法】変更
【補正の内容】
【００２８】
請求項８に記載の光ピックアップ装置は、請求項１〜７のいずれかに記載の対物レンズを用いており、前記第２情報記録面に記録された情報に基づいて前記第１情報記録面の記録位置を決定し、決定された前記第１情報記録面の記録位置に対して情報の記録及び／又は再生を行うことを特徴とする。